(57)【要約】【課題】競技場等の施設の来場者に対して、携帯電話を用いて各種情報の配信サービスをを提供できるようにする。【解決手段】来場者が所持する、携帯電話機及び非接触ＩＣタグと、施設の入場口付近に設置され、非接触ＩＣタグに記憶された識別情報を非接触で読み取る手段と、該手段で読み取った識別情報をサーバに送信する手段とを有する非接触ＩＣタグ読取装置と、来場者の電子メールアドレスと前記識別情報とが関連付けられて登録されている会員情報データベースと、来場者への配信情報が登録されている配信情報データベースと、前記非接触ＩＣタグ読取装置から受信した識別情報に基づいて、会員情報データベースで該識別情報に関連付けられて登録されている電子メールアドレス宛てに前記イベント情報データベースに登録されている情報を配信する配信手段とを有するサーバと、からなることを特徴とする。【選択図】　　　　図１
2004094431.tif 000002
【特許請求の範囲】
【請求項１】
競技場等の施設の来場者に対する情報の提供を、来場者の携帯電話機を利用して配信する来場者への情報提供システムであって、
前記来場者が所持する、携帯電話機及び記憶手段に識別情報が記憶された非接触ＩＣタグと、
前記施設の入場口付近に設置され、前記非接触ＩＣタグに記憶された識別情報を非接触で読み取る手段と、該手段で読み取った識別情報をサーバに送信する手段とを有する非接触ＩＣタグ読取装置と、
前記来場者の電子メールアドレスと前記識別情報とが関連付けられて登録されている会員情報データベースと、
前記来場者への配信情報が登録されている配信情報データベースと、
前記非接触ＩＣタグ読取装置から受信した識別情報に基づいて、前記会員情報データベースで該識別情報に関連付けられて登録されている電子メールアドレス宛てに前記配信情報データベースに登録されている情報を配信する配信手段とを有するサーバと、
からなることを特徴とする来場者への情報提供システム。
【請求項２】
前記配信情報が、選手情報、会場施設案内情報、チーム関連情報、他競技場での試合経過情報、施設内における混雑状況情報、交通機関の発車時刻情報、のいずれかであることを特徴とする請求項１記載の来場者への情報提供システム。
【請求項３】
前記サーバに対する指示情報を入力する端末を備えていることを特徴とする請求項１記載の来場者への情報提供システム。
【発明の詳細な説明】
【０００１】
【発明の属する技術分野】
本発明は、競技場等の施設の来場者に対する情報の提供を、来場者の携帯電話機を利用して配信する来場者への情報提供システムに関する。
【０００２】
従来、プロ野球やプロサッカーなどの競技を直接観戦する場合には、これらの競技が行われる競技場等の施設に来場することでスポーツ観戦を楽しんでいる。そして、これらの施設に来場してスポーツ観戦を行う場合には、テレビやラジオによる観戦のように、解説者による詳しい解説や、各選手や各チームのデータや、他の試合経過情報などが入らない状態で、目の前で行われているスポーツを観戦することになるため、来場者がそのスポーツに関して詳しくない場合には、競技場に行かずに自宅でテレビによりスポーツ観戦をしている方が楽しいと思うことが予想され、益々、競技場などの施設に来場する人々が減少し、競技場などの施設の経営運営上、好ましくないという問題がある。
【０００３】
また、来場者がその施設に初めて訪れた場合には、特に施設内のどこにトイレや売店があるのかなどわからないし、更に、試合が終了後に最寄りの駅から交通機関を利用して帰る場合には、事前に発車時刻を知りたいと思っても簡単にこれらの情報を入手することができないので、不便であるという問題がある。
このように、従来、来場者に対して競技場などの施設の運営者が、種々の情報を提供したくても適切な手段がなく、また、来場者が知りたい情報があっても、それらの情報を入手する手段がないというのが現状である。
【０００４】
【発明が解決しようとする課題】
本発明は、上記のような問題点に鑑みてなされたものであり、その目的とするところは、プロ野球やプロサッカーなどの競技が行われる競技場等の施設において、これらの施設への特定の来場者に対して、来場者の携帯電話機を利用して種々の情報の配信サービスを行えるようにして、来場者が知りたい情報の提供を可能にし、施設内でスポーツ観戦する来場者の楽しみを増すと共に、利便性の向上を図った来場者への情報提供システムを提供する。
【０００５】
【課題を解決するための手段】
上記の目的を達成するために、本発明の来場者への情報提供システムは、競技場等の施設の来場者に対する情報の提供を、来場者の携帯電話機を利用して配信する来場者への情報提供システムであって、前記来場者が所持する、携帯電話機及び記憶手段に識別情報が記憶された非接触ＩＣタグと、前記施設の入場口付近に設置され、前記非接触ＩＣタグに記憶された識別情報を非接触で読み取る手段と、該手段で読み取った識別情報をサーバに送信する手段とを有する非接触ＩＣタグ読取装置と、前記来場者の電子メールアドレスと前記識別情報とが関連付けられて登録されている会員情報データベースと、前記来場者への配信情報が登録されている配信情報データベースと、前記非接触ＩＣタグ読取装置から受信した識別情報に基づいて、前記会員情報データベースで該識別情報に関連付けられて登録されている電子メールアドレス宛てに前記配信情報データベースに登録されている情報を配信する配信手段とを有するサーバと、からなることを特徴とする。
【０００６】
また、本発明の来場者への情報提供システムは、前記配信情報が、選手情報、会場施設案内情報、チーム関連情報、他競技場での試合経過情報、施設内における混雑状況情報、交通機関の発車時刻情報、のいずれかであることを特徴とする。
【０００７】
更に、本発明の来場者への情報提供システムは、前記サーバに対する指示情報を入力する端末を備えていることを特徴とする。
【０００８】
【発明の実施の形態】
図１は、本発明の実施形態に係る来場者への情報提供システムの全体構成を説明する図、図２は、本発明で使用される非接触ＩＣタグの一例を示す平面図、図３は、紙層間に非接触ＩＣタグを挟持させた状態の非接触ＩＣタグ紙片を示す略断面図、図４は、本発明の実施形態に係る来場者への情報提供システムのシステムブロック図、図５は、本発明の実施形態に係る来場者への情報提供システムの会員情報データベースの記憶内容を示す図、図６は、本発明の実施形態に係る来場者への情報提供システムにおける携帯電話機の表示部の表示内容を示す図、図７は、本発明の実施形態に係る来場者への情報提供システムの処理手順を示すフローチャートである。
【０００９】
まず、本発明の来場者への情報提供システムの概要を図１に基づいて説明する。
例えば、野球場やサッカー場等の競技を観戦するためにこれらの施設５に来場する来場者のうち、本発明のサービスの提供を受けることができる来場者１は、来場の際に携帯電話機２と非接触ＩＣタグ３とを所持する必要がある。
非接触ＩＣタグ３は、図１に示すように、携帯電話機２のストラップに付けるなどして所持することが好ましい。
この来場者１に関しては、予め会員登録等を行うことで少なくとも自己の電子メールアドレス等の個人情報と、非接触ＩＣタグ３の記憶手段に記憶させている識別情報とを関連付けして会員情報データベース８ａに登録させておく。
【００１０】
非接触ＩＣタグ３の発行は、所定の窓口により希望者に対して有料で配布したり、例えばファンクラブや種々の会員メンバーなどの予め会員化された特定の来場者に予め配布したりする。
この場合、競技場などの施設の窓口で、希望者に有料で配布する場合には、その際にその希望者の電子メールアドレス等の個人情報と、配布する非接触ＩＣタグ３の記憶手段に記憶させる識別情報とを関連付けして会員情報データベース８ａに登録させる。
【００１１】
また、競技場などの施設５の入場ゲート等には、非接触ＩＣタグ３に記憶された識別情報を非接触で読み取ることができる非接触ＩＣタグ読取装置４が備えられていて、施設５内に入場した来場者１が持参した非接触ＩＣタグ３に記憶された識別情報を、非接触ＩＣタグ読取装置４により読み取れるように配備されている。
【００１２】
また一方、情報管理センター２０などには、会員情報の管理及び情報提供を行うサーバ６と端末７が備えられ、通信回線９を介して、サーバ６と非接触ＩＣタグ読取装置４とが通信可能に接続されている。
また、情報管理センター２０などに設置されたサーバ６から利用者の携帯電話機２に対して、各種情報の配信サービスの提供ができるように通信回線９及び移動体通信回線１０により、サーバ７と携帯電話機２とが通信可能な状態になっている。
【００１３】
サーバ６としては、管理用サーバ６ａ、Ｗｅｂサーバ６ｂ、メールサーバ６ｃなどのサーバ６が備えられ、また会員情報データベース８ａ、配信情報データベース８ｂ、メールコンテンツデータベース８ｃなどのデータベースが設けられている。
【００１４】
非接触ＩＣタグ３は、図２に示すように、汎用されている非接触ＩＣタグ３を用いることができ、一般にはＲＦＩＤ（ｒａｄｉｏｆｒｅｑｕｅｎｎｃｙ　ｉｄｅｎｔｉｆｉｃａｔｉｏｎ）と称されるもので、プラスチック等の基材３１にコイル状アンテナパターン３３を形成し、このコイル状アンテナパターン３３と容量素子とにより共振回路を形成して一定周波数の電波を受信、送信ができるように構成されているものを使用する。
【００１５】
図２に示す非接触ＩＣタグ３においては、アンテナパターン３３は導通部材３４により基材３１の裏面でジャンピング回路を形成してアンテナ接続端子３３ＣによりＩＣチップ３２の裏面のバンプに接続されている。
この図２に示す例では、容量素子はＩＣチップ３２に内臓されている。
ＩＣチップ３２は記憶手段であるメモリを備え、それぞれの非接触ＩＣタグ３を識別することが可能なＩＤ番号などの識別情報等が記録されている。
【００１６】
このような非接触ＩＣタグ３は、樹脂基材にラミネートしたアルミ箔等の金属箔をフォトエッチングや樹脂基材表面にレジストパターンを印刷した後のエッチングによりアンテナパターン３３を形成し、ＩＣチップ３２を装着し、保護用被覆を設けることにより形成することができる。
非接触ＩＣタグ３はプラスチック基体に埋設されているが、例えば図３に示すように２つの紙層３５ａ，３５ｂの間に挟持させることで、　ＩＣチップ３２やアンテナパターン３３を保護すると共に、持ち運びに便利な形態とすることが好ましい。
【００１７】
また携帯電話機２は、一般的に使用されている携帯電話機であって、インターネット等の通信回線９及び移動体通信回線１０を介してサーバ６との間で通信が可能で、サーバ６から送信されたメールの送信情報を表示できる表示手段などを有する。
このように、本発明の来場者への情報提供システムは、サーバ６からの配信情報を携帯電話機で来場者が見れるようにしてある。
【００１８】
次に、本発明の実施形態に係る来場者への情報提供システムのシステム構成を図４に基づいて説明する。
非接触ＩＣタグ３には、識別情報等が記憶されたメモリからなる記憶手段と、非接触ＩＣタグ読取装置４からの信号を受信し、記憶手段に記憶された識別情報等の情報を非接触ＩＣタグ読取装置４に送信するアンテナからなる送受信手段と、ＩＣからなる制御手段とが設けられている。
【００１９】
また、非接触ＩＣタグ読取装置４には、非接触ＩＣタグ３の記憶手段に記憶された識別情報等の情報を非接触で読み取る読取手段１１と、記憶手段１２と、送受信手段１３と、制御手段１４とを備えている。
送受信手段１３により、非接触ＩＣタグ３から読み取った識別情報を、通信回線９を介して情報管理センター２０のサーバ６に送信する。
【００２０】
次に、情報管理センター２０のサーバ６には、送受信手段１５、情報配信手段１６、抽出手段１７、制御手段１８が備えられている。
更に、このサーバ６には、会員情報データベース８ａと、配信情報データベース８ｂ、メールコンテンツデータベース８ｃとが備えられている。
会員情報データベース８ａは、例えば図５に示すように、来場者である個々の会員に関する氏名２２や電子メールアドレス２３等の個人情報と、非接触ＩＣタグ３の記憶手段に記憶させておく識別情報２４とを関連付けて登録しておくことで、非接触ＩＣタグ読取装置４により非接触ＩＣタグ３から読み取られた識別情報に基づいて、各種の情報の配信先を特定する電子メールアドレスを抽出手段１７で抽出可能にしてある。
【００２１】
また、配信情報データベース８ｂには、例えば、選手情報、会場施設案内情報、チーム関連情報、他競技場での試合経過情報、施設内における混雑状況情報、交通機関の発車時刻情報、などの各種の情報が登録され、これらの情報は、必要に応じて随時更新されて最新の情報が登録されるようにしてある。
図６には、来場者の携帯電話機に表示された配信情報の一例が示されている。
図６の例では、選手情報として、各選手の打率、打点、ホームランなどの情報がサーバ６から来場者の電子メールアドレス宛てに配信され、携帯電話機の表示手段に表示したものである。
【００２２】
このサーバ６には、送信手段２５、入力手段２６、表示手段２７、制御手段２８を備える端末７が接続されていて、入力手段２６から各種の指示情報を入力することで、何時の時点でどの配信情報の配信を行うのか等をコントロールできるようにしてある。
そして、この入力された指示情報に基づいて、配信情報データベース８ａに登録されている各種の情報の中から所望の情報を選んで、情報配信手段１６により、来場者の電子メールアドレス宛てに配信処理が行えるようにしてある。
【００２３】
また、携帯電話機２は、一般的に市販されているものであり、送受信手段４０、操作手段４１、表示手段４２、記憶手段４３、マイク４４、スピーカ４５、制御手段４６などを備えている。
表示手段４２は、移動体通信回線１０を介してサーバ６から配信された情報の内容を表示させる。
【００２４】
次に、本発明の実施形態に係る来場者への情報提供システムの処理手順を図７のフローチャートに基づいて説明する。
まず、来場者が競技場などの施設に入場する際に、非接触ＩＣタグ読取装置４に非接触ＩＣタグ３を近づけて、非接触ＩＣタグ３の記憶手段に記憶されている識別情報を読み取らせる（ステップＳ１）。
次に、非接触ＩＣタグ読取装置４からサーバ６に識別情報が送信される（ステップＳ２）。
【００２５】
そして、サーバ６では、会員情報データベース８ａの登録情報に基づいて、受信した識別情報と関連付けられている個人情報から電子メールアドレスの抽出処理が行われる（ステップＳ３）。
次に、サーバ６の配信情報データベース８ｂに登録されている各種情報を抽出手段１７で抽出されている電子メールアドレス宛てに、情報配信手段１７により配信される（ステップＳ４）。
そして、配信されたこれらの情報は、来場者の携帯電話機２の表示手段４２で表示されて、来場者がこれらの情報を入手することができる（ステップＳ５）。
【００２６】
以上により、来場者に対して、各種情報を配信することができるものである。これらの配信情報は、来場者が携帯電話機２を操作することで、見たい情報だけを携帯電話機２の表示手段に表示するようにしたり、来場者の携帯電話機２からサーバ６に送信指示信号を送信したのを受けてから、指示された情報を配信するようにしてもよい。
【００２７】
【発明の効果】
以上のように、本発明の来場者への情報提供システムは、プロ野球やプロサッカーなどの競技が行われる競技場等の施設の来場者に対して、来場者の携帯電話機を利用して種々の情報の配信サービスが行えるので、来場者が知りたい情報を手元で入手でき、スポーツ観戦する来場者の楽しみを増すことができると共に、利便性の向上を図ることができるという効果がある。
【図面の簡単な説明】
【図１】本発明の実施形態に係る来場者への情報提供システムの全体構成を説明する図である。
【図２】本発明で使用される非接触ＩＣタグの一例を示す平面図である。
【図３】紙層間に非接触ＩＣタグを挟持させた状態の非接触ＩＣタグ紙片を示す略断面図である。
【図４】本発明の実施形態に係る来場者への情報提供システムのシステムブロック図である。
【図５】本発明の実施形態に係る来場者への情報提供システムの会員情報データベースの記憶内容を示す図である。
【図６】本発明の実施形態に係る来場者への情報提供システムにおける携帯電話機の表示部の表示内容を示す図である。
【図７】本発明の実施形態に係る来場者への情報提供システムの処理手順を示すフローチャートである。
【符号の説明】
１　来場者
２　携帯電話機
３　接触ＩＣタグ
４　非接触ＩＣタグ読取装置
５　施設
６　サーバ
６ａ　管理用サーバ
６ｂ　Ｗｅｂサーバ
６ｃ　メールサーバ
７　端末
８ａ　会員情報データベース
８ｂ　配信情報データベース
８ｃ　メールコンテンツデータベース
９　通信回線
１０　移動体通信回線
１１　読取手段
１２，４３　記憶手段
１３，１５，２５，４０　送受信手段
１４，１８，２８，４６　制御手段
１６　情報配信手段
１７　抽出手段
２０　情報管理センター
２２　氏名
２３　電子メールアドレス
２４　識別情報
２７，４２　表示手段
３１　基材
３３　コイル状アンテナパターン
３２　ＩＣチップ
３４　導通部材
３５ａ，３５ｂ　紙層
３３Ｃ　アンテナ接続端子
４１　操作手段
４４　マイク
４５　スピーカ
【図１】
2004094431.tif 000003
【図２】
2004094431.tif 000004
【図３】
2004094431.tif 000005
【図４】
2004094431.tif 000006
【図５】
2004094431.tif 000007
【図６】
2004094431.tif 000008
【図７】
2004094431.tif 000009